(57)【特許請求の範囲】
【請求項１】
上部開口を有する有底の筒状体であるグラス本体と、
前記グラス本体に映像表示装置を固定するための固定機構を有するサイドフレームと、
前記グラス本体と前記サイドフレームを一緒に挿入する環形状の円環フレームとを備え、
前記グラス本体はその底部近傍の側面に湾曲している第1湾曲面を備え、
前記グラス本体は前記第1湾曲面と対向している位置に第1接合面を備え、
前記第1湾曲面に第1突起部を備え、
前記サイドフレームはその底部近傍の側面に湾曲している第2湾曲面を備え、
前記サイドフレームは前記第2湾曲面と対向している位置に第2接合面を備え、
前記第2湾曲面に第2突起部を備え、
前記第1湾曲面の曲率半径と前記第2湾曲面の曲率半径は等しく、
前記円環フレームの内周面に前記第1突起部に螺合する第3突起部を備え、
前記円環フレームの内周面に前記第2突起部に螺合する第4突起部を備え、
前記グラス本体と前記サイドフレームを前記第1接合面と前記第2接合面が接合した状態で前記円環フレームに螺入することにより前記グラス本体に前記サイドフレームを固定することを特徴とする飲料用演出グラス。
【請求項２】
前記第1突起部及び／又は前記第2突起部を複数備えることを特徴とする請求項1に記載の飲料用演出グラス。
【請求項３】
前記第3突起部及び／又は前記第4突起部を複数備えることを特徴とする請求項1〜2のいずれか一項に記載の飲料用演出グラス。
【請求項４】
前記上部開口を塞ぐための蓋を備えることを特徴とする請求項1〜3のいずれか一項に記載の飲料用演出グラス。
【請求項５】
前記円環フレームのどちらか一方の面に板状の底板を備えることを特徴とする請求項1〜4のいずれか一項に記載の飲料用演出グラス。
【請求項６】
前記映像表示装置が携帯型通信装置の一部であることを特徴とする請求項1〜5のいずれか一項に記載の飲料用演出グラス。
【請求項７】
請求項6に記載の飲料用演出グラスと、
前記携帯型通信装置と、
外部のサーバーコンピュータと、
ユーザー操作検知部とを備え、
前記ユーザー操作検知部は前記携帯型通信装置の加速度センサー又はカメラセンサーの出力データに基づいてユーザーが前記グラス本体を移動、傾斜又は他物体へ衝突させたことを検知し、出力信号を前記外部のサーバーコンピュータに送信し、
前記外部のサーバーコンピュータは前記出力信号を受信し、その受信回数をカウントして乾杯操作累計数として記録し、ユーザーが前記乾杯操作累計数を閲覧出来ることを特徴とする遠隔地乾杯カウンターシステム。
【発明の詳細な説明】
【技術分野】
【０００１】  本発明は、映像表示装置を固定する格納部を容易に交換可能な飲料用演出グラス及び遠隔地乾杯カウンターシステムに関する。
【背景技術】
【０００２】  飲料を入れる機能以外に様々な機能を持ったグラスが開発されている。
例えば特許文献１及び２にはグラスの表面に表示装置を配置し、表示装置に映す映像を手動で切り替えたり、グラスの状態を検知するモーションセンサーの出力に応じて切り替えたりする技術が開示されている。
特許文献３〜５には本願発明者が発明した飲料用演出グラスが開示されている。この飲料用演出グラスは、グラス本体と、グラス本体の底部から内部側にのびており携帯型通信装置を格納するための格納部と、グラス本体の側面から内部側にのびており携帯型通信装置の電波を通過させるための導波部を備えている。この飲料用演出グラスはグラス本体内に飲料を充填した状態でも携帯型通信装置の電波を導波部を通して外部に出して無線通信できる。
特許文献６には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
【先行技術文献】
【特許文献】
【０００３】
【特許文献１】特開２００５−９９１５９号公報
【特許文献２】米国特許出願公開第２００８／０１００４６９号明細書
【特許文献３】特許第６３３７２５６号
【特許文献４】特許第６４０６７４２号
【特許文献５】特許第６４３２９６０号
【特許文献６】特許第６４８８０４９号
【発明の概要】
【発明が解決しようとする課題】
【０００４】  しかし、上記特許文献１〜６は映像表示装置を格納する格納部を携帯電話やスマートフォンのサイズやユーザーの好みに応じて変更出来ないという問題点を有する。【０００５】  本発明は上記問題を鑑み、映像表示装置を格納する格納部を携帯電話やスマートフォンのサイズやユーザーの好みに応じて変更可能な飲料用演出グラスを提供することを課題とする。
また、その飲料用演出グラスを用いた遠隔地乾杯カウンターシステムを提供することを課題とする。
【課題を解決するための手段】
【０００６】
本発明の飲料用演出グラスは、上部開口を有する有底の筒状体であるグラス本体と、前記グラス本体に映像表示装置を固定するための固定機構を有するサイドフレームと、前記グラス本体と前記サイドフレームを一緒に挿入する環形状の円環フレームとを備え、前記グラス本体はその底部近傍の側面に湾曲している第1湾曲面を備え、前記グラス本体は前記第1湾曲面と対向している位置に第1接合面を備え、前記第1湾曲面に第1突起部を備え、前記サイドフレームはその底部近傍の側面に湾曲している第2湾曲面を備え、前記サイドフレームは前記第2湾曲面と対向している位置に第2接合面を備え、前記第2湾曲面に第2突起部を備え、前記第1湾曲面の曲率半径と前記第2湾曲面の曲率半径は等しく、前記円環フレームの内周面に前記第1突起部に螺合する第3突起部を備え、前記円環フレームの内周面に前記第2突起部に螺合する第4突起部を備え、前記グラス本体と前記サイドフレームを前記第1接合面と前記第2接合面が接合した状態で前記円環フレームに螺入することにより前記グラス本体に前記サイドフレームを固定することを特徴とする。
また、前記第1突起部及び／又は前記第2突起部を複数備えることを特徴とする。
また、前記第3突起部及び／又は前記第4突起部を複数備えることを特徴とする。
また、前記上部開口を塞ぐための蓋を備えることを特徴とする。
また、前記円環フレームのどちらか一方の面に板状の底板を備えることを特徴とする。
また、前記映像表示装置が携帯型通信装置の一部であることを特徴とする。
本発明の遠隔地乾杯カウンターシステムは、前記飲料用演出グラスと、前記携帯型通信装置と、外部のサーバーコンピュータと、ユーザー操作検知部とを備え、前記ユーザー操作検知部は前記携帯型通信装置の加速度センサー又はカメラセンサーの出力データに基づいてユーザーが前記グラス本体を移動、傾斜又は他物体へ衝突させたことを検知し、出力信号を前記外部のサーバーコンピュータに送信し、前記外部のサーバーコンピュータは前記出力信号を受信し、その受信回数をカウントして乾杯操作累計数として記録し、ユーザーが前記乾杯操作累計数を閲覧出来ることを特徴とする。
【発明の効果】
【０００７】  映像表示装置を固定するための固定機構（又は格納部）を設けたサイドフレームをグラス本体と一緒に円環の底部の円環フレームに螺入するだけで着脱することが可能である。
サイドフレームの着脱が円環フレームを回転させるだけで良く容易であるため、ユーザーは好みに応じて様々な形状のサイドフレームを着脱できる。
円環フレームを交換するだけで様々なデザインのコースターをグラスに取り付けれる。
円環フレームがグラスの底部又は底部近傍にあるためグラス本体の高さが高い（つまり重心が高く転倒しやすい）場合でも円環フレームを大きい物に交換するだけでグラス本体の転倒を防げる。そのため様々な高さのグラス本体に対応できる。
グラス本体そのものがネジ軸の一部となるため多軸アーム等を用いた映像表示装置の固定機構に比して稼働部分が少ないため構造上丈夫である。
コースターの代わりに円環フレーム上にスプーンや角砂糖等を置く事が出来るため衛生的である。
映像表示装置又は携帯型通信装置の大きさに応じてサイドフレーム（つまり固定機構）を交換出来るメリットを有する。
【図面の簡単な説明】
【０００８】
【図１】第１の実施の形態の飲料用演出グラスを示す断面図
【図２】第１の実施の形態の飲料用演出グラスを示す上方断面図
【図３】ボトル形状の飲料用演出グラスを示す断面図
【図４】様々な形状のサイドフレームを示す斜視図（ａ），（ｂ）
【図５】様々な形状の円環フレームを示す斜視図（ａ），（ｂ）及び（ｃ）
【図６】底板を備える円環フレームを示す断面図
【図７】遠隔地乾杯カウンターシステムの構成を示す図
【発明を実施するための形態】
【０００９】［飲料用演出グラスの第１の実施の形態］
以下、本発明の飲料用演出グラスの第１の実施の形態を図面を用いて示す。
図１に示すように、飲料用演出グラス１はグラス本体１０、サイドフレーム２０、固定機構２１、円環フレーム３０から概略構成される。
グラス本体１０は上部開口１１を有する有底の筒状体でありその内部に清涼飲料水やアルコール飲料等の飲料Ｌを充填出来る。グラス本体１０の材質としては、一般的なグラスと同様にガラス、樹脂、陶器、磁器等が挙げられる。グラス本体１０の形状としては図１に示すような通常のコップ型の形状以外に図３のように上部開口１１を閉めるための蓋１５を有するボトル型であってもよい。グラス本体１０は図１、図２に示すように底部又は底部近傍の側面に第１湾曲面１２を備え、第１湾曲面１２の対向している位置に第１接合面１３を備える。第１湾曲面１２にはネジ山として第１突起部１４を備える。
サイドフレーム２０は映像表示装置８０をグラス本体１０の側面に固定（又は支持）しておくための部材である。サイドフレーム２０はグラス本体の側面に映像表示装置８０を固定するための固定機構２１を備える。なお図１の例では固定機構２１としてコの字形状（又はＣ字型）の格納部を用いてサイドフレーム２０に映像表示装置８０を固定している。固定機構２１はネジやマグネット機構等を用いても良い。サイドフレーム２０は図１、図２に示すように底部又は底部近傍の側面に第２湾曲面２２を備え、第２湾曲面２２の対向している位置に第２接合面２３を備える。第２湾曲面２２にはネジ山として第２突起部２４を備える。
円環フレーム３０はグラス本体１０とサイドフレーム２０を一緒に挿入して一体化するための環形状（リング状）の部材である。円環フレーム３０の内周面には第１突起部１４に螺合する第３突起部３１と第２突起部２４に螺合する第４突起部３２を備える。
図２に示すように飲料用演出グラス１は第１湾曲面１２の曲率半径Ｒ１と第２湾曲面２２の曲率半径Ｒ２は等しい（又はほぼ等しい）ように調整されているため図１や図２のように第１接合面１３と第２接合面２３が接合することによりグラス本体１０とサイドフレーム２０が一体化して一つのネジ軸を形成するため、第１接合面１３と第２接合面２３が接合した状態でのみグラス本体１０とサイドフレーム２０を円環フレーム３０に螺入（回し入れて固定）することが可能であり、それによりグラス本体１０にサイドフレーム２０を強固に固定する事が出来る。グラス本体１０とサイドフレーム２０は各突起部により円環フレームに螺入されているため、グラス本体１０を乾杯動作時に傾けても、上下逆さまにしてもサイドフレーム２０が脱落することは無い。仮に第１接合面１３と第２接合面２３が離れる方向に力を掛けたとしてもその分だけグラス本体１０とサイドフレーム２０より構成されるネジ軸の径が大きくなるため結果的に円環フレームによるグラス本体１０とサイドフレーム２０を締め付ける応力が更に強化される。グラス本体１０とサイドフレーム２０は円環フレームに螺入されているため、グラス本体１０とサイドフレーム２０をベルトや紐等で単純に縛って一体化した場合と違いグラス本体１０を上下左右様々な方向に傾けてもグラス本体１０からサイドフレーム２０が脱落する事は無い。
円環フレーム３０にグラス本体１０とサイドフレーム２０を一緒に螺入するだけでグラス本体１０とサイドフレーム２０を一体化したり切り離したり出来るためユーザーは周囲の状況や好みに応じて様々な形状のサイドフレーム２０を即座に交換する事が出来る。例えば恋人同士や夫婦で乾杯をする場合は図４（ｂ）のようにハート型の形状のサイドフレーム２０を円環フレーム３０に螺入して乾杯を演出しても良い。また映像表示装置８０が携帯電話やスマートフォン等の携帯型通信装置１００の場合、その携帯型通信装置１００内蔵のアプリケーションゲームを楽しみたい場合は図４（ａ）のように大きな窓の空いたデザインのサイドフレーム２０に交換すれば良い。また、映像表示装置８０又は携帯型通信装置１００の大きさに応じてサイドフレーム２０（つまり固定機構２１）を交換しても良い。
【００１０】  本発明の飲料用演出グラス１は円環フレーム３０がグラス本体１０の底部又は底部近傍にあるためコースターの代わりに円環フレーム上にスプーンや角砂糖等を置く事が出来るため衛生的である。コーヒーを飲む場合などの角砂糖やスプーンを必要とするシチュエーションでは図５（ａ）のようにスプーンや角砂糖を置けるスペースが有る大きめの円環フレーム３０に交換すれば良い。このように本発明の飲料用演出グラスは円環フレーム３０が底部に有る為ネジ皿としてだけでなくグラス用コースターとして機能する。円環フレーム３０を交換するだけで図５（ａ）、図５（ｂ）、図５（ｃ）のように様々なデザインのコースターを飲料用演出グラス１に付加出来る。
図６のように円環フレーム３０のどちらか一方の面に板状のフレームである底板３３を備えても良い。底板３３はグラス本体１０やサイドフレーム２０が螺入する際の底部のストッパーとして機能するだけでなくグラス本体１０底面の保護の底板としても機能する。
円環フレーム３０がグラス本体１０の底部又は底部近傍にあるためグラス本体１０の高さが高い（つまり重心が高く転倒しやすい）デザインの場合でも円環フレーム３０を大きい物（より具体的には図５（ａ）のように円環フレーム３０の内周面と外周面との距離が大きい物）に交換するだけでグラス本体の転倒を防げる。そのため本発明の飲料用演出グラス１は原理的にはどのような高さのグラス本体１０にも対応できる。
円環フレーム３０の交換は図１や図２のようにユーザーの手ＵＨで円環フレーム３０を回す又は捻るだけで出来る。
【００１１】  図１、図２の飲料用演出グラス１の例では第１突起部１４、第２突起部２４、第３突起部３１、第４突起部３２は各一つずつしか設けてないが、第１突起部１４、第２突起部２４、第３突起部３１、第４突起部３２はいずれも複数有って構わない。突起部が複数有る場合は既存の通常のネジと同じくその分だけ螺合箇所又は螺合部の面積が増加するためグラス本体１０とサイドフレーム２０の締め付け強度が強化される。なお、本発明の飲料用演出グラス１では第１突起部１４と第３突起部３１或いは第２突起部２４と第４突起部３２が螺合さえすればこれら突起部に用いるネジ山の形状やネジ山の数は一切問わない（ネジ山の形状は既存の物を用いれば良い）。
【００１２】  ［遠隔地乾杯カウンターシステムの実施の形態］
以下、本発明の遠隔地乾杯カウンターシステムの実施の形態について説明する。上記各実施の形態の飲料用演出グラスと同一の構成となる箇所については同一の符号を付してその説明を省略する。
携帯電話やスマートフォン等の携帯型通信装置の殆どの機種は加速度センサーやカメラセンサーを内蔵している。加速度センサーは同センサーが内蔵されている物体の加速度に基づいて、物体の移動量、傾斜量、他物体への衝突の有無を取得出来る。カメラセンサーも画像解析により物体の移動量、傾斜量、他物体への衝突の有無を取得出来る。そこで本実施の形態の遠隔地乾杯カウンターシステムでは図７に示すように本発明の飲料用演出グラス１と携帯型通信装置１００と外部のサーバーコンピュータ２００とユーザー操作検知部１１０とを備える。
携帯型通信装置１００のセンサー１１１からの信号を元にグラス本体１０に対するユーザー操作（他の飲料用グラス３への衝突や傾斜操作等）をユーザー操作検知部１１０にて検知して遠隔地のサーバーコンピュータ２００等に送信する。図７に示すように、遠隔地のサーバーコンピュータ２００が受信回数をカウントしてそれを乾杯操作累計数として記録して、閲覧や公開出来るようにする事により遠隔地乾杯カウンターシステムを得ることができる。
なお、ユーザー操作検知部１１０は飲料用演出グラス１に取り付けられた専用ＩＣチップ内部に実装しても良いし、外部のサーバーコンピュータに実装しても構わない。
結婚等を祝うために遠隔地から乾杯ネットワークに参加する場合は図７のようにサイドフレーム２０をハート形状の物へと交換しても良い。携帯型通信装置１００のセンサー１１１がカメラセンサーの場合はサイドフレーム２０の形状を撮影して遠隔地のサーバーコンピュータ２００に送信することが可能なためハート形状のサイドフレーム２０を用いている者だけを特に結婚を祝福している者として抽出してカウントしても良い。
【産業上の利用可能性】
【００１３】  本発明は、様々なデザインのサイドフレームをユーザーの好みに応じて交換できるため多様な乾杯演出が可能な飲料用演出グラス。遠隔地乾杯カウンターシステムに関するものであり、産業上の利用可能性を有する。
【符号の説明】
【００１４】Ｌ  飲料（液体）
ＵＨ  ユーザーの手
Ｒ１  曲率半径（グラス本体）
Ｒ２  曲率半径（サイドフレーム）
１  飲料用演出グラス
２  飲料用演出グラス
３  他の飲料用グラス
４  他の飲料用グラス
１０  グラス本体
１１  上部開口
１２  第１湾曲面
１３  第１接合面
１４  第１突起部
１５  蓋
２０  サイドフレーム
２１  固定機構
２２  第２湾曲面
２３  第２接合面
２４  第２突起部
３０  円環フレーム
３１  第３突起部
３２  第４突起部
３３  底板
８０  映像表示装置
８１  映像表示部
１００  携帯型通信装置
１１０  ユーザー操作検知部
１１１  センサー
２００  外部のサーバーコンピュータ
【要約】
【課題】  映像表示装置を格納する格納部を携帯電話やスマートフォンのサイズやユーザーの好みに応じて変更可能な飲料用演出グラスを提供することを課題とする。また、その飲料用演出グラスを用いた遠隔地乾杯カウンターシステムを提供することを課題とする。
【解決手段】  飲料用演出グラス１は、上部開口を有する有底の筒状体であるグラス本体と、前記グラス本体に映像表示装置を固定するための固定機構を有するサイドフレームと、前記グラス本体と前記サイドフレームを一緒に挿入する環形状の円環フレームとを備え、前記グラス本体と前記サイドフレームを第１接合面と第２接合面が接合した状態で前記円環フレームに螺入することにより前記グラス本体に前記サイドフレームを固定することを特徴とする。
【選択図】図１【図１】
0006779556.tif 000002
【図２】
0006779556.tif 000003
【図３】
0006779556.tif 000004
【図４】
0006779556.tif 000005
【図５】
0006779556.tif 000006
【図６】
0006779556.tif 000007
【図７】
0006779556.tif 000008